(57)【特許請求の範囲】
【請求項１】
ストーブ本体を含み、前記ストーブ本体の中には燃焼チャンバが設置され、前記燃焼チャンバの中にはコークスが置かれて燃焼でき、前記燃焼チャンバの上端壁の中には前記燃焼チャンバの上端壁と外部空間とを連通した通気チャンバが設置され、前記通気チャンバの左端壁の中には風吹きチャンバが設置され、前記風吹きチャンバの中には酸素増加機構が設置され、前記酸素増加機構は回転できるファンを含み、前記ファンの回転を通して外部空間の空気を前記通気チャンバの中に導入でき、それによりコークスが燃焼するとき十分の酸素が得られ、
前記風吹きチャンバの下端壁の中には水チャンバが設置され、前記水チャンバの中には電気駆動機構が設置され、前記電気駆動機構は前記水チャンバの左端壁に位置した動力チャンバを含み、前記動力チャンバの上端壁が前記風吹きチャンバに連通しており、前記動力チャンバの左端壁にはモーターが取り付けられ、前記モーターが作動すると前記ファンを駆動し回転させることができ、前記水チャンバの中には水があり、コークスの燃焼が水チャンバの中にある水を蒸発させて水蒸気を生成でき、前記ファンを駆動し回転させ、前記水チャンバの中には浮きボールが浮いており、前記水チャンバ内の水が完全に蒸発したあと、前記浮きボールが下がり、前記モーターを連動させて通電し始動させ、
前記通気チャンバの中には前記酸素増加機構と噛み合うように伝動された粉砕機構が設置され、前記粉砕機構は、コークスが一定な期間に燃焼した後にコークスを粉砕し、コークスの燃焼をより完全にすることができることを特徴とするストーブ内のコークスを完全燃焼させる補助設備。
【請求項２】
前記酸素増加機構はまた前記風吹きチャンバの上端壁に固定的に連結された頂部棒を含み、前記頂部棒の中には横向き軸が回転できるように設置され、前記横向き軸の右端には第一傘歯車が固定的に設置され、前記横向き軸には第一プーリーが固定的に設置され、前記第一プーリーの左側の前記横向き軸には四つの前記ファンが均一に固定的に設置され、前記風吹きチャンバの下端壁の中には垂直軸が回転できるように設置され、前記垂直軸の下端が前記水チャンバの中に位置しており、前記垂直軸の下端にはタービンが固定的に設置され、前記風吹きチャンバの中にある前記垂直軸には第二傘歯車が固定的に設置され、前記第二傘歯車が前記第一傘歯車と噛み合うように伝動されており、前記垂直軸の上端には第三傘歯車が固定的に設置され、前記風吹きチャンバの左端壁と外部空間との間には第二濾過網が取り付けられ、前記風吹きチャンバの右端壁と前記通気チャンバとの間には第一濾過網が取り付けられていることを特徴とする請求項１に記載のストーブ内のコークスを完全燃焼させる補助設備。
【請求項３】
前記粉砕機構はまた前記風吹きチャンバの上端壁の中に位置した伝動チャンバを含み、前記伝動チャンバの右端壁が前記通気チャンバに連通しており、前記伝動チャンバの左端壁には細い軸が回転できるように設置され、前記細い軸の右端が前記通気チャンバの中に位置しており、前記細い軸の右端には出力歯車が固定的に設置され、前記伝動チャンバの中にある前記細い軸には第四傘歯車が固定的に設置され、前記第四傘歯車と前記第三傘歯車とが噛合伝動しており、前記通気チャンバの後端壁の中には前方に開口した昇降溝が設置され、前記昇降溝の中には昇降ブロックがスライドできるように設置され、前記昇降ブロックの下端面には昇降ばねが左右対称に固定的に設置され、前記昇降ばねの下端が前記昇降溝の下端壁に固定的に連結され、前記昇降ブロックの中には前方に開口した密封チャンバが設置され、前記密封チャンバの中には密封板がスライドできるように設置され、前記密封板の前端面には支持棒が固定的に設置され、前記支持棒の前端が前記通気チャンバの中に位置していることを特徴とする請求項２に記載のストーブ内のコークスを完全燃焼させる補助設備。
【請求項４】
前記支持棒の前端には長棒が固定的に設置され、前記長棒の中には前方と下方に開口した方形チャンバが設置され、前記方形チャンバの左右端壁の間には定位棒が固定的に設置され、前記定位棒には斜め棒が回転できるように設置され、前記定位棒と前記斜め棒との間にはねじりばねが設置され、前記斜め棒の下端には斜め板が固定的に設置されていることを特徴とする請求項３に記載のストーブ内のコークスを完全燃焼させる補助設備。
【請求項５】
前記電気駆動機構はまた前記水チャンバの左端壁の中に位置した移動溝を含み、前記移動溝が右方に開口しており、前記移動溝の下端壁の中には収納チャンバが設置され、前記移動溝の中には移動ブロックがスライドできるように設置され、前記移動ブロックの右端面には短棒が固定的に設置され、前記短棒の右端が前記水チャンバの中に位置しており、前記短棒の右端には前記浮きボールが固定的に設置され、前記移動ブロックの下端には下端が前記収納チャンバの中に位置したラックが固定的に設置され、前記収納チャンバの左端壁には電源が固定的に設置され、前記収納チャンバの後端壁の中には前方に開口した弾性チャンバが設置され、前記弾性チャンバの中には弾性ブロックがスライドできるように設置され、前記弾性ブロックの左端面には弾性ばねが上下対称に固定的に設置され、前記弾性ばねの左端が前記弾性チャンバの左端壁に固定的に連結され、前記弾性ブロックの前端には三角棒が固定的に設置され、前記三角棒の左端にはプラグが固定的に設置され、前記プラグと前記モーターとが電線により連通しており、前記収納チャンバの後端壁には回転軸が回転できるように設置され、前記回転軸には回転歯車と曲面ブロックとが固定的に設置され、前記曲面ブロックが前記回転歯車の前側に位置しており、前記回転歯車と前記ラックとが噛合伝動していることを特徴とする請求項４に記載のストーブ内のコークスを完全燃焼させる補助設備。
【請求項６】
前記モーターの右端面には駆動軸が回転できるように設置され、前記駆動軸には中空歯車が設置され、前記中空歯車の中にある前記駆動軸の上端面には上方に開口した圧力チャンバが設置され、前記中空歯車の中には下方に開口した止めチャンバが設置され、前記圧力チャンバの下端壁には圧力ばねが固定的に設置され、前記圧力ばねの上端には上端が前記止めチャンバの中に位置した三角ブロックが固定的に設置され、前記中空歯車と前記第一プーリーとがベルトにより摩擦伝動しており、前記水チャンバの後端壁が排気口を通して外部空間に連通していることを特徴とする請求項５に記載のストーブ内のコークスを完全燃焼させる補助設備。
【請求項７】
前記ねじりばねが圧縮状態にあることを特徴とする請求項４に記載のストーブ内のコークスを完全燃焼させる補助設備。
【請求項８】
前記燃焼チャンバの右端壁の中にはスイッチ板がヒンジにより連結され、前記スイッチ板の右端面には取っ手が固定的に設置され、前記ストーブ本体の上端面には支持台が固定的に設置され、前記燃焼チャンバの下端壁の中には後方に開口した収集チャンバが設置され、前記収集チャンバと前記燃焼チャンバとの間には濾過板が設置されていることを特徴とする請求項１に記載のストーブ内のコークスを完全燃焼させる補助設備。
【発明の詳細な説明】
【技術分野】
【０００１】
本発明は燃焼器械分野を取り上げて、具体的にはストーブ内のコークスを完全燃焼させる補助設備である。
【背景技術】
【０００２】
コークスは、主に固定炭素からなる固体燃料であり、ゆっくり燃焼して表面に灰色の殻を生成しやすく、既存のコークス燃焼器械は、コークスを完全に燃焼させるために、手動でコークスを粉砕する必要があり、また、室内で燃焼する場合、酸素が不足による不完全燃焼で有害な気体を生成する可能性がある。
【先行技術文献】
【特許文献】
【０００３】
【特許文献１】中国特許出願公開第102168632号明細書
【発明の概要】
【発明が解決しようとする課題】
【０００４】
本発明の目的はストーブ内のコークスを完全燃焼させる補助設備を提供し、それは上記の現在の技術中の問題を解決できる。
【課題を解決するための手段】
【０００５】
本発明は以下の技術プランを通じて実現する：
【０００６】
本発明のストーブ内のコークスを完全燃焼させる補助設備は、ストーブ本体を含み、前記ストーブ本体の中には燃焼チャンバが設置され、前記燃焼チャンバの中にはコークスが置かれて燃焼でき、前記燃焼チャンバの上端壁の中には前記燃焼チャンバの上端壁と外部空間とを連通した通気チャンバが設置され、前記通気チャンバの左端壁の中には風吹きチャンバが設置され、前記風吹きチャンバの中には酸素増加機構が設置され、前記酸素増加機構は回転できるファンを含み、前記ファンの回転を通して外部空間の空気を前記通気チャンバの中に導入でき、それによりコークスが燃焼するとき十分の酸素が得られる。
【０００７】
前記風吹きチャンバの下端壁の中には水チャンバが設置され、前記水チャンバの中には電気駆動機構が設置され、前記電気駆動機構は前記水チャンバの左端壁に位置した動力チャンバを含み、前記動力チャンバの上端壁が前記風吹きチャンバに連通しており、前記動力チャンバの左端壁にはモーターが取り付けられ、前記モーターが作動すると前記ファンを駆動し回転させることができ、前記水チャンバの中には水があり、コークスの燃焼が水チャンバの中にある水を蒸発させて水蒸気を生成でき、前記ファンを駆動し回転させ、前記水チャンバの中には浮きボールが浮いており、前記水チャンバ内の水が完全に蒸発したあと、前記浮きボールが下がり、前記モーターを連動させて通電し始動させる。
【０００８】
前記通気チャンバの中には前記酸素増加機構と噛み合うように伝動された粉砕機構が設置され、前記粉砕機構は、コークスが一定な期間に燃焼した後にコークスを粉砕し、コークスの燃焼をより完全にすることができる。
【０００９】
優選的には、前記酸素増加機構はまた前記風吹きチャンバの上端壁に固定的に連結された頂部棒を含み、前記頂部棒の中には横向き軸が回転できるように設置され、前記横向き軸の右端には第一傘歯車が固定的に設置され、前記横向き軸には第一プーリーが固定的に設置され、前記第一プーリーの左側の前記横向き軸には四つの前記ファンが均一に固定的に設置され、前記風吹きチャンバの下端壁の中には垂直軸が回転できるように設置され、前記垂直軸の下端が前記水チャンバの中に位置しており、前記垂直軸の下端にはタービンが固定的に設置され、前記風吹きチャンバの中にある前記垂直軸には第二傘歯車が固定的に設置され、前記第二傘歯車が前記第一傘歯車と噛み合うように伝動されており、前記垂直軸の上端には第三傘歯車が固定的に設置され、前記風吹きチャンバの左端壁と外部空間との間には第二濾過網が取り付けられ、前記風吹きチャンバの右端壁と前記通気チャンバとの間には第一濾過網が取り付けられている。
【００１０】
優選的には、前記粉砕機構はまた前記風吹きチャンバの上端壁の中に位置した伝動チャンバを含み、前記伝動チャンバの右端壁が前記通気チャンバに連通しており、前記伝動チャンバの左端壁には細い軸が回転できるように設置され、前記細い軸の右端が前記通気チャンバの中に位置しており、前記細い軸の右端には出力歯車が固定的に設置され、前記伝動チャンバの中にある前記細い軸には第四傘歯車が固定的に設置され、前記第四傘歯車と前記第三傘歯車とが噛合伝動しており、前記通気チャンバの後端壁の中には前方に開口した昇降溝が設置され、前記昇降溝の中には昇降ブロックがスライドできるように設置され、前記昇降ブロックの下端面には昇降ばねが左右対称に固定的に設置され、前記昇降ばねの下端が前記昇降溝の下端壁に固定的に連結され、前記昇降ブロックの中には前方に開口した密封チャンバが設置され、前記密封チャンバの中には密封板がスライドできるように設置され、前記密封板の前端面には支持棒が固定的に設置され、前記支持棒の前端が前記通気チャンバの中に位置している。
【００１１】
優選的には、前記支持棒の前端には長棒が固定的に設置され、前記長棒の中には前方と下方に開口した方形チャンバが設置され、前記方形チャンバの左右端壁の間には定位棒が固定的に設置され、前記定位棒には斜め棒が回転できるように設置され、前記定位棒と前記斜め棒との間にはねじりばねが設置され、前記斜め棒の下端には斜め板が固定的に設置されている。
【００１２】
優選的には、前記電気駆動機構はまた前記水チャンバの左端壁の中に位置した移動溝を含み、前記移動溝が右方に開口しており、前記移動溝の下端壁の中には収納チャンバが設置され、前記移動溝の中には移動ブロックがスライドできるように設置され、前記移動ブロックの右端面には短棒が固定的に設置され、前記短棒の右端が前記水チャンバの中に位置しており、前記短棒の右端には前記浮きボールが固定的に設置され、前記移動ブロックの下端には下端が前記収納チャンバの中に位置したラックが固定的に設置され、前記収納チャンバの左端壁には電源が固定的に設置され、前記収納チャンバの後端壁の中には前方に開口した弾性チャンバが設置され、前記弾性チャンバの中には弾性ブロックがスライドできるように設置され、前記弾性ブロックの左端面には弾性ばねが上下対称に固定的に設置され、前記弾性ばねの左端が前記弾性チャンバの左端壁に固定的に連結され、前記弾性ブロックの前端には三角棒が固定的に設置され、前記三角棒の左端にはプラグが固定的に設置され、前記プラグと前記モーターとが電線により連通しており、前記収納チャンバの後端壁には回転軸が回転できるように設置され、前記回転軸には回転歯車と曲面ブロックとが固定的に設置され、前記曲面ブロックが前記回転歯車の前側に位置しており、前記回転歯車と前記ラックとが噛合伝動している。
【００１３】
優選的には、前記モーターの右端面には駆動軸が回転できるように設置され、前記駆動軸には中空歯車が設置され、前記中空歯車の中にある前記駆動軸の上端面には上方に開口した圧力チャンバが設置され、前記中空歯車の中には下方に開口した止めチャンバが設置され、前記圧力チャンバの下端壁には圧力ばねが固定的に設置され、前記圧力ばねの上端には上端が前記止めチャンバの中に位置した三角ブロックが固定的に設置され、前記中空歯車と前記第一プーリーとがベルトにより摩擦伝動しており、前記水チャンバの後端壁が排気口を通して外部空間に連通している。
【００１４】
優選的には、前記ねじりばねが圧縮状態にある。
【００１５】
優選的には、前記燃焼チャンバの右端壁の中にはスイッチ板がヒンジにより連結され、前記スイッチ板の右端面には取っ手が固定的に設置され、前記ストーブ本体の上端面には支持台が固定的に設置され、前記燃焼チャンバの下端壁の中には後方に開口した収集チャンバが設置され、前記収集チャンバと前記燃焼チャンバとの間には濾過板が設置されている。
【発明の効果】
【００１６】
本発明の有益な効果は：本装置はコークスをエネルギーとして加熱し、コークスが燃焼しているとき、コークスの燃焼によって発生した熱エネルギーを水蒸気に変換し、外部の空気を装置内に導入することによりコークスを完全に燃焼させ、同時に、エネルギーを節約し、コークスが一定な程度まで燃焼すると、装置が自動的にコークスを粉砕し、コークスの燃焼をより完全にする。
【図面の簡単な説明】
【００１７】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明のストーブ内のコークスを完全燃焼させる補助設備の全体全断面の正面構造概略図
【図２】図２は図１のＢの拡大概略図
【図３】図３は図１のＣの拡大概略図
【図４】図４は図１のＡ―Ａ方向の概略図
【発明を実施するための形態】
【００１９】
図１〜４を参照し、本発明のストーブ内のコークスを完全燃焼させる補助設備は、ストーブ本体１０を含み、前記ストーブ本体１０の中には燃焼チャンバ４９が設置され、前記燃焼チャンバ４９の中にはコークスが置かれて燃焼でき、前記燃焼チャンバ４９の上端壁の中には前記燃焼チャンバ４９の上端壁と外部空間とを連通した通気チャンバ４２が設置され、前記通気チャンバ４２の左端壁の中には風吹きチャンバ３４が設置され、前記風吹きチャンバ３４の中には酸素増加機構８２が設置され、前記酸素増加機構８２は回転できるファン２７を含み、前記ファン２７の回転を通して外部空間の空気を前記通気チャンバ４２の中に導入でき、それによりコークスが燃焼するとき十分の酸素が得られる。
【００２０】
前記風吹きチャンバ３４の下端壁の中には水チャンバ１２が設置され、前記水チャンバ１２の中には電気駆動機構８０が設置され、前記電気駆動機構８０は前記水チャンバ１２の左端壁に位置した動力チャンバ２２を含み、前記動力チャンバ２２の上端壁が前記風吹きチャンバ３４に連通しており、前記動力チャンバ２２の左端壁にはモーター２０が取り付けられ、前記モーター２０が作動すると前記ファン２７を駆動し回転させることができ、前記水チャンバ１２の中には水があり、コークスの燃焼が水チャンバ１２の中にある水を蒸発させて水蒸気を生成でき、前記ファン２７を駆動し回転させ、前記水チャンバ１２の中には浮きボール１１が浮いており、前記水チャンバ１２内の水が完全に蒸発したあと、前記浮きボール１１が下がり、前記モーター２０を連動させて通電し始動させる。
【００２１】
前記通気チャンバ４２の中には前記酸素増加機構８２と噛み合うように伝動された粉砕機構８１が設置され、前記粉砕機構８１は、コークスが一定な期間に燃焼した後にコークスを粉砕し、コークスの燃焼をより完全にすることができる。
【００２２】
更に、前記酸素増加機構８２を詳しく説明し、前記酸素増加機構８２はまた前記風吹きチャンバ３４の上端壁に固定的に連結された頂部棒３２を含み、前記頂部棒３２の中には横向き軸２９が回転できるように設置され、前記横向き軸２９の右端には第一傘歯車３１が固定的に設置され、前記横向き軸２９には第一プーリー３０が固定的に設置され、前記第一プーリー３０の左側の前記横向き軸２９には四つの前記ファン２７が均一に固定的に設置され、前記風吹きチャンバ３４の下端壁の中には垂直軸２５が回転できるように設置され、前記垂直軸２５の下端が前記水チャンバ１２の中に位置しており、前記垂直軸２５の下端にはタービン２３が固定的に設置され、前記風吹きチャンバ３４の中にある前記垂直軸２５には第二傘歯車２６が固定的に設置され、前記第二傘歯車２６が前記第一傘歯車３１と噛み合うように伝動されており、前記垂直軸２５の上端には第三傘歯車３６が固定的に設置され、前記風吹きチャンバ３４の左端壁と外部空間との間には第二濾過網２８が取り付けられ、前記風吹きチャンバ３４の右端壁と前記通気チャンバ４２との間には第一濾過網３３が取り付けられている。
【００２３】
更に、前記粉砕機構８１を詳しく説明し、前記粉砕機構８１はまた前記風吹きチャンバ３４の上端壁の中に位置した伝動チャンバ３５を含み、前記伝動チャンバ３５の右端壁が前記通気チャンバ４２に連通しており、前記伝動チャンバ３５の左端壁には細い軸３８が回転できるように設置され、前記細い軸３８の右端が前記通気チャンバ４２の中に位置しており、前記細い軸３８の右端には出力歯車４０が固定的に設置され、前記伝動チャンバ３５の中にある前記細い軸３８には第四傘歯車３７が固定的に設置され、前記第四傘歯車３７と前記第三傘歯車３６とが噛合伝動しており、前記通気チャンバ４２の後端壁の中には前方に開口した昇降溝４１が設置され、前記昇降溝４１の中には昇降ブロック４４がスライドできるように設置され、前記昇降ブロック４４の下端面には昇降ばね４５が左右対称に固定的に設置され、前記昇降ばね４５の下端が前記昇降溝４１の下端壁に固定的に連結され、前記昇降ブロック４４の中には前方に開口した密封チャンバ６８が設置され、前記密封チャンバ６８の中には密封板６９がスライドできるように設置され、前記密封板６９の前端面には支持棒７０が固定的に設置され、前記支持棒７０の前端が前記通気チャンバ４２の中に位置している。
【００２４】
前記支持棒７０の前端には長棒４３が固定的に設置され、前記長棒４３の中には前方と下方に開口した方形チャンバ６７が設置され、前記方形チャンバ６７の左右端壁の間には定位棒７２が固定的に設置され、前記定位棒７２には斜め棒７１が回転できるように設置され、前記定位棒７２と前記斜め棒７１との間にはねじりばね６６が設置され、前記斜め棒７１の下端には斜め板４６が固定的に設置されている。
【００２５】
更に、前記電気駆動機構８０を詳しく説明し、前記電気駆動機構８０はまた前記水チャンバ１２の左端壁の中に位置した移動溝１７を含み、前記移動溝１７が右方に開口しており、前記移動溝１７の下端壁の中には収納チャンバ１５が設置され、前記移動溝１７の中には移動ブロック１９がスライドできるように設置され、前記移動ブロック１９の右端面には短棒１３が固定的に設置され、前記短棒１３の右端が前記水チャンバ１２の中に位置しており、前記短棒１３の右端には前記浮きボール１１が固定的に設置され、前記移動ブロック１９の下端には下端が前記収納チャンバ１５の中に位置したラック１６が固定的に設置され、前記収納チャンバ１５の左端壁には電源１４が固定的に設置され、前記収納チャンバ１５の後端壁の中には前方に開口した弾性チャンバ５８が設置され、前記弾性チャンバ５８の中には弾性ブロック５４がスライドできるように設置され、前記弾性ブロック５４の左端面には弾性ばね５５が上下対称に固定的に設置され、前記弾性ばね５５の左端が前記弾性チャンバ５８の左端壁に固定的に連結され、前記弾性ブロック５４の前端には三角棒５６が固定的に設置され、前記三角棒５６の左端にはプラグ５７が固定的に設置され、前記プラグ５７と前記モーター２０とが電線１８により連通しており、前記収納チャンバ１５の後端壁には回転軸５９が回転できるように設置され、前記回転軸５９には回転歯車５３と曲面ブロック５２とが固定的に設置され、前記曲面ブロック５２が前記回転歯車５３の前側に位置しており、前記回転歯車５３と前記ラック１６とが噛合伝動している。
【００２６】
前記モーター２０の右端面には駆動軸６０が回転できるように設置され、前記駆動軸６０には中空歯車６５が設置され、前記中空歯車６５の中にある前記駆動軸６０の上端面には上方に開口した圧力チャンバ６３が設置され、前記中空歯車６５の中には下方に開口した止めチャンバ６２が設置され、前記圧力チャンバ６３の下端壁には圧力ばね６４が固定的に設置され、前記圧力ばね６４の上端には上端が前記止めチャンバ６２の中に位置した三角ブロック６１が固定的に設置され、前記中空歯車６５と前記第一プーリー３０とがベルト２４により摩擦伝動しており、前記水チャンバ１２の後端壁が排気口２１を通して外部空間に連通している。
【００２７】
有益的には、前記ねじりばね６６が圧縮状態にある。
【００２８】
有益的には、前記燃焼チャンバ４９の右端壁の中にはスイッチ板４８がヒンジにより連結され、前記スイッチ板４８の右端面には取っ手４７が固定的に設置され、前記ストーブ本体１０の上端面には支持台３９が固定的に設置され、前記燃焼チャンバ４９の下端壁の中には後方に開口した収集チャンバ５１が設置され、前記収集チャンバ５１と前記燃焼チャンバ４９との間には濾過板５０が設置されている。
【００２９】
装置全体の機械作動流れは：
【００３０】
（１）取っ手４７を引き、スイッチ板４８を開け、燃焼チャンバ４９の中に燃えたコークスを入れ、装置は室内ストーブとして使用でき、又は支持台３９にものを置いて加熱することができる。
【００３１】
（２）燃焼チャンバ４９の中にあるコークスによって生じた熱が水チャンバ１２内の水を蒸発させて水蒸気を生成し、水蒸気がタービン２３を回転させ、第二傘歯車２６と第三傘歯車３６とがタービン２３と共に回転し、第二傘歯車２６と第一傘歯車３１との噛み合い伝動を通して、第一傘歯車３１を回転させ、ファン２７が第一傘歯車３１と共に回転し、外部空間内の空気を通気チャンバ４２の中に導入し、それによりコークスが燃焼するとき十分の酸素が得られる。
【００３２】
（３）第三傘歯車３６と第四傘歯車３７との噛み合い伝動を通して、第四傘歯車３７を回転させ、出力歯車４０が第四傘歯車３７と共に回転し、コークスの温度が一定な値まで達するとき、燃焼チャンバ４９内の熱が密封チャンバ６８内の気体を膨張させ、密封板６９をプッシュし前方に移動させ、長棒４３が密封板６９と共に前方に移動して出力歯車４０と噛み合い、出力歯車４０と長棒４３との噛み合い伝動を通して、長棒４３を下がらせ、昇降ばね４５が長棒４３と共に下がって燃焼チャンバ４９の中に入り、ねじりばね６６が復帰し、斜め板４６を回転させてコークスを下に押し、コークスを粉砕して続けて燃焼させる。
【００３３】
（４）水チャンバ１２内の水分が完全に蒸発したあと、浮きボール１１が下がり、ラック１６を下がらせ、ラック１６と回転歯車５３との噛み合い伝動を通して、回転歯車５３を回転させ、曲面ブロック５２が回転歯車５３と共に回転し、三角棒５６をプッシュし左に移動させ、弾性ばね５５が圧縮され、プラグ５７が三角棒５６と共に左に電源１４の中に挿入される。
【００３４】
（５）電線１８の伝導を通してモーター２０を通電し作動させ、駆動軸６０を回転させ、三角ブロック６１と止めチャンバ６２との協働により、中空歯車６５を回転させ、ベルト２４の摩擦伝動を通して、第一プーリー３０を回転させ、ファン２７が第一プーリー３０と共に回転し、コークスが完全に燃焼するまで、コークスの燃焼に酸素を続けて提供する。
【００３５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
0006841988.tif 000002
【図２】
0006841988.tif 000003
【図３】
0006841988.tif 000004
【図４】
0006841988.tif 000005